(57)【要約】【課題】  開封容易性及び開封非容易性という相反する特性を併せ持つ包装袋を提供すること。【解決手段】  本発明は、被包装物２０を収容する収容部１２と、この収容部１２を開封するための引裂き誘導線１６とを備える包装袋１０において、引裂き誘導線１６の端部が、当該包装袋１０の外縁から離れた位置に形成されていることを特徴としている。この構成においては、包装袋１０の外縁には開封を容易にするための引裂き誘導線１６が配置されないので、当該包装袋１０の外縁をそのまま引き裂くには相当の力を要する。その一方で、引裂き誘導線１６近傍の所望の箇所をつまんで引き裂くことで、容易に当該包装袋を開封することが可能となる。【選択図】  図１
2006219140.tif 000002
【特許請求の範囲】
【請求項１】
被包装物を収容する収容部と、開封するための引裂き誘導線とを備える包装袋において、
前記引裂き誘導線の端部が、当該包装袋の外縁から離れた位置に形成されていることを特徴とする包装袋。
【請求項２】
前記引裂き誘導線と交差する折曲げ誘導線が形成されていることを特徴とする請求項１に記載の包装袋。
【発明の詳細な説明】
【技術分野】
【０００１】
本発明は、開封を容易にするための手段を備えた包装袋に関する。
【背景技術】
【０００２】
包装袋の開封を容易にするための手段としては、従来から種々あるが、例えば、下記の特許文献１に開示されているようなミシン目等の弱め線や、包装袋の外縁に形成された三角ノッチ等の切欠きが知られている。
【特許文献１】登録実用新案第２５６６４４４号公報
【発明の開示】
【発明が解決しようとする課題】
【０００３】
しかしながら、上述したような従来の開封手段を有する包装袋は、包装袋の外縁をつまんで引き裂くという単純な動作だけで、簡単に開封してしまうという問題点がある。すなわち、従来の包装袋は開封が容易でありすぎるため、例えば幼児が保護者のいない所で包装袋を開封し、被包装物を取り出すことが考えられ、被包装物によっては、そのような状況が好ましくない場合がある。
【０００４】
そこで、本発明は、開封容易性及び開封非容易性という相反する特性を併せ持つ包装袋を提供することを目的とする。
【課題を解決するための手段】
【０００５】
上記目的を達成するために、本発明は、被包装物を収容する収容部と、開封するための引裂き誘導線とを備える包装袋において、引裂き誘導線の端部が当該包装袋の外縁から離れた位置に形成されていることを特徴としている。
【０００６】
本発明によれば、包装袋の外縁には開封を容易にするための引裂き誘導線が配置されないので、当該包装袋の外縁をそのまま引き裂くには相当の力を要する。その一方で、引裂き誘導線近傍の所望の箇所をつまんで引き裂くことで、容易に当該包装袋を開封することが可能となる。
【０００７】
尚、本発明においては、引裂き誘導線と交差する折曲げ誘導線を形成するようにしてもよい。折曲げ誘導線に沿って引裂き誘導線が形成されている部分を折り曲げて、その折線上に引裂き誘導線の一部が配置されるようにすることで、そこを起点として容易に当該包装袋を引き裂くことが可能となる。
【発明の効果】
【０００８】
上述したように、本発明の包装袋によれば、例えば幼児が使用に注意を要する被包装物を簡単に取り出してしまうという事態を防止ないしは抑制することができる。
【発明を実施するための最良の形態】
【０００９】
以下、図面を参照して本発明の好適な実施形態について詳細に説明する。
【００１０】
図１は本発明による包装袋１０を部分的に示す説明図である。図１に示すように、本実施形態に係る包装袋１０は、互いに対向配置された包装フィルム１０ａ及び１０ｂから構成されている。また、包装フィルム１０ａ及び１０ｂは２層以上の複合フィルムからなっており、その複合フィルムを構成する材質としては、紙、シリコン加工紙、アルミニウム、ポリエチレンテレフタレート（ＰＥＴ）、ポリエチレン（ＰＥ）などが挙げられる。
【００１１】
図２は図１のＩ―Ｉ’に沿う断面図である。図２に示すように、本実施形態で用いる複合フィルム１０ａ及び１０ｂは、ＰＥＴ層１１ａ、ＰＥ層１１ｂ、アルミニウム層１１ｃ及びＰＥ層１１ｄを、外側より順に積層して形成する。ＰＥＴ層１１ａは酸素の透過性が低く、且つ、アルミニウム層１１ｃは気密性に優れ、適度な強度ないし剛性を有する。そのため、本実施形態においては、収容部１２内に収納される被包装物２０として、薬物を経皮投与する貼付剤等が適している。薬物の劣化を防止できるとともに、貼付剤の形状を維持することができるからである。
【００１２】
このように形成した包装フィルム１０ａ及び１０ｂを、ＰＥＴ層１１ａが最外層となるようにして、互いに重ね合わせた後、外周部分をシールすることで、収容部１２とシール部１４を備える包装袋１０が形成される。シール方法としてはヒートシール法が好ましいが、接着剤を用いての圧着など、他の方法を採ってもよい。
【００１３】
シール部１４は、２枚の包装フィルム１０ａ及び１０ｂを一体化して形成されたものであり、シールする際の熱による材質の変形や、接着剤の追加などにより、シール部１４の強度ないし剛性は収容部１２のそれより大きくなる。そのため、シール部１４の外縁、すなわち当該包装袋１０の外縁を、そのまま引き裂くには相当の力を要する。
【００１４】
図１に戻り、本発明の包装袋１０の収容部１２上には、収容部１２の強度ないし剛性を弱め、包装袋１０を容易に開封することを可能とする引裂き誘導線１６が形成されている。本実施形態においては、引裂き誘導線１６を形成する方法として、包装フィルム１０ａ及び１０ｂを構成する複数の層のうち、外側の少なくとも一層を貫通する破線を形成し、且つ、内側の少なくとも一層には破線を形成しない方法を採択している。そのため、包装袋１０を開封しない限り、被包装物２０は外側の空気とは直接的に接触しないので、被包装物２０を開封する前まで安全に保存することができる。もちろん被包装物２０の種類により外側の空気と接触しても構わない場合や、包装袋１０内に重ね袋などをさらに備える場合などには、この限りではなく、収容部１２全体を貫通するミシン目などを形成してもよい。
【００１５】
引裂き誘導線１６の端部は、包装袋１０の外縁にかからない位置に形成される。従来の包装袋は、引裂き誘導線が包装袋の外縁にまでかかった状態で形成されていたため、引裂き誘導線近傍の外縁を指でつまんで引き裂くという単純な動作だけで、簡単に開封されていた。このように包装袋１０が開封容易性だけを持っていると、例えば幼児が保護者のいない所で包装袋を開封したり、開放された被包装物２０が空気と直接に接触し製品の品質が劣ったりする場合がある。ここで、本実施形態では、引裂き誘導線１６の端部を包装袋１０の外縁からある程度離れた位置（例えば図１でのＤ１）に形成し、包装袋１０に非開封容易性を持たせることで、上述したような事態を防止ないし抑制する。
【００１６】
また、本実施形態においては、図１に示すように、引裂き誘導線１６と略十字方向に交差する折曲げ誘導線１８を形成している。後ほど詳しく説明するが、包装袋１０を開封する際には、この折曲げ誘導線１８に沿って収容部１２を折った後、引裂き誘導線１６と折曲げ誘導線１８が交差する部分の両側を指でつまんで引き裂くことになる。この際、包装袋１０が容易に引き裂けるように、引裂き誘導線１６の端部からある程度離れたところ（例えば図１でのＤ２）で、引裂き誘導線１６と交差するように折曲げ誘導線１８を形成することが望ましい。より具体的には、引裂き誘導線１６の端部から１０ｍｍ以上距離があると、引裂き誘導が容易になる。
【００１７】
続いて、以上のような構成の包装袋１０の開封方法について図３を参照しながら説明する。図３は、本実施形態に係る包装袋１０の開封方法を説明するための図である。
【００１８】
まず、図１に示す状態においては、包装袋１０の外縁には開封を容易にする手段が備えられていないため、通常の力を有する使用者であっても、包装袋１０の外縁を引き裂くだけでの開封は極めて困難である。従って、開封方法を知らない非力な幼児などが本実施形態の包装袋１０を開封することは実質的に不可能であり、まして被包装物２０を取り出すことはできない。
【００１９】
開封を行うためには、まず、折曲げ誘導線１８（図１参照）に沿って収容部１２を折り曲げる。折曲げをしっかりと行った場合、包装フィルム１０ａ及び１０ｂを構成するアルミニウム層によって、包装袋１０は図３の（ａ）に示す折曲げ状態で維持される。この状態において、折曲げ誘導線１８と交差する引裂き誘導線１６の一部分が、切欠きとして包装袋１０の外縁に現れる。
【００２０】
そこで、上述した切欠きの両側Ａ及びＢをそれぞれ指でつまみ、互いに引き離すと、その力が小さい場合であっても、切欠きを起点として包装袋１０が引き裂かれ、開封が容易に行われる（図３の（ｂ）参照）。
【００２１】
次に、本発明を実施するための更なる形態について、図４〜図６を参照しながら説明する。図４〜図６は、引裂き誘導線１６及び折曲げ誘導線１８が形成された包装袋１０を全体的に示す説明図である。図４〜図６においては、引裂き誘導線１６を形成する方法として、ハの字カットを行っている。このようなハの字カットを行う際には、図４及び図５に示すように、１段カットでもよく、図６に示すように開封の容易性をさらに考慮して２段カットにしてもよい。
【００２２】
尚、図４〜図６においては、包装袋１０の上端、下端、左端及び右端の４端のうち少なくとも１箇所に引裂き誘導線１６を形成する。複数の引裂き誘導線を形成する際には、図４に示すように、２つの引裂き誘導線の端部が直角で繋がるようにしてもよく、図５に示すように交差するようにしてもよく、もしくは、図６のようにスムーズに繋がるようにしてもよい。
【００２３】
更に、図５に示すように、引裂き誘導線１６を形成することにより、包装袋１０の外縁が裂け易くなる効果が生じない限り、引裂き誘導線１６は収容部１２とシール部１４をまたいで形成されていても構わない。
【００２４】
尚、図４及び図６に示すように、引裂き誘導線１６と交差する折曲げ誘導線１８を少なくとも１箇所に形成しているが、図５に示すように、２つの引裂き誘導線１６が交差している場合には、折曲げ誘導線１８を形成しなくてもよい。１つの引裂き誘導線が、もう１つの引裂き誘導線に対し折曲げ誘導線の役割を果たすからである。
【００２５】
以上、本発明の好適な実施形態について説明したが、本発明は上記実施形態に限定されないことは言うまでもない。
【００２６】
例えば、包装袋１０を構成する材質は上記のものに限られなく、被包装物２０の種類などにより適宜変更可能である。更に、引裂き誘導線１６及び折曲げ誘導線１８の位置や形状、寸法、数量においても、被包装物２０の種類などにより適宜変更可能である。
【図面の簡単な説明】
【００２７】
【図１】本発明による包装袋１０を部分的に示す説明図である。
【図２】本発明による包装袋１０を部分的に示す断面図である。
【図３】本発明による包装袋１０を開封する手順を示す説明図である。
【図４】本発明による包装袋１０を全体的に示す説明図である。
【図５】本発明による包装袋１０を全体的に示す説明図である。
【図６】本発明による包装袋１０を全体的に示す説明図である。
【符号の説明】
【００２８】
１０…包装袋、１０ａ，１０ｂ…包装フィルム、１１ａ…ＰＥＴ層、１１ｂ…ＰＥ層、１１ｃ…アルミニウム層、１１ｄ…ＰＥ層、１２…収容部、１４…シール部、１６…引裂き誘導線、１８…折曲げ誘導線、２０…被包装物。
【図１】
2006219140.tif 000003
【図２】
2006219140.tif 000004
【図３】
2006219140.tif 000005
【図４】
2006219140.tif 000006
【図５】
2006219140.tif 000007
【図６】
2006219140.tif 000008